(57)【要約】      （修正有）【課題】装着したままで飲食が可能であると共に、極力、口から出る飛沫を防ぐことのできるマスクを提供する。【解決手段】利用者の鼻及び口の周辺を覆うマスク本体２と、該マスク本体２の左右上方部に設けられた利用者の耳に掛けられる耳掛け部３と、該マスク本体２の下端に設けられた重りを兼ねた線状の形状保持部材４とを備えたマスク１とした。【選択図】図３
0003229085.tif 000002
【実用新案登録請求の範囲】
【請求項１】
利用者の鼻及び口の周辺を覆うマスク本体と、該マスク本体の左右上方部に設けられた利用者の耳に掛けられる耳掛け部と、該マスク本体の下端に設けられた重りを兼ねた線状の形状保持部材とを備えたことを特徴とする、マスク。
【請求項２】
上記耳掛け部が、上記マスク本体の上方半分程度を保持するように該マスク本体の左右上方部に設けられていることを特徴とする、請求項１に記載のマスク。
【請求項３】
上記重りを兼ねた線状の形状保持部材が設けられたマスク本体の下端表面側に、帯状の着色が施されていることを特徴とする、請求項１又は２に記載のマスク。
【考案の詳細な説明】
【技術分野】
【０００１】
本考案は、マスクに関するもので、特に、マスクをしたままで飲食が可能なマスクに関するものである。
【背景技術】
【０００２】
一般に、マスクは、利用者の鼻及び口の周辺を覆うマスク本体と、このマスク本体の左右に設けられ、利用者の耳に掛けられる耳掛け部とを備えている。
このようなマスクは、通常、花粉や黄砂などの微粉塵に対する防御対策として、またウィルスや細菌などの感染対策として利用されている。
【０００３】
しかし、上記したような従来のマスクは、これを装着している際に飲食をすることはできず、飲食時においては、外してポケットに入れたり、テーブル上に置いたりと、極めて邪魔な存在になつていた。また、外さないまでも、マスク本体を上下にずらすことにより口の覆いを外す必要があった。そのため、飲食時においては、終始、口はマスク本体によって覆われていない状態となり、微粉塵に対する防御対策、またウィルスや細菌などの感染対策として機能しないものとなっていた。このことは、特に新型コロナウイルス感染症（COVID-19）の感染拡大を防止する観点からは、非常に懸念される問題点であった。
【０００４】
ここで、特許文献１には、鼻及び口の周辺を覆うマスク本体の中央部分に開口を設け、この開口をマスク本体の表側から開閉可能に覆う蓋片を備えたマスクが提案されている。  このマスクによれば、耳掛け部を外したり、マスク本体を上下にずらしたりすることなく、蓋片を開いてマスク本体の中央部分に設けられた開口の覆いを外し、この開口を通じて飲食を行うことが可能となるものであった。
【先行技術文献】
【特許文献】
【０００５】
【特許文献１】特開２０１７−２４３０号公報
【考案の概要】
【考案が解決しようとする課題】
【０００６】
しかしながら、上記特許文献１に開示されたマスクにあっても、開口の存在によって口が覆われていない状態となることは同じであり、口から出る飛沫を防ぐことはできないものであった。また、極力口を覆った状態とすべく開口を小さなものとした場合には、飲食がしづらいものとなり、また開口周りが飲食物によって汚れることが生じやすいものとなっていた。
【０００７】
本考案は、上述した背景技術が有する課題に鑑みなさされたものであって、その目的は、装着したままで飲食が可能であると共に、極力、口から出る飛沫を防ぐことのできる、マスクを提案することにある。
【課題を解決するための手段】
【０００８】
上記した目的を達成するため、本考案は、次の［１］〜［３］に記載した構成のマスクとした。
［１］利用者の鼻及び口の周辺を覆うマスク本体と、該マスク本体の左右上方部に設けられた利用者の耳に掛けられる耳掛け部と、該マスク本体の下端に設けられた重りを兼ねた線状の形状保持部材とを備えたことを特徴とする、マスク。
［２］上記耳掛け部が、上記マスク本体の上方半分程度を保持するように該マスク本体の左右上方部に設けられていることを特徴とする、上記［１］に記載のマスク。
［３］上記重りを兼ねた線状の形状保持部材が設けられたマスク本体の下端表面側に、帯状の着色が施されていることを特徴とする、上記［１］又は［２］に記載のマスク。
【考案の効果】
【０００９】
上記した本考案に係るマスクによれば、これを装着して飲食する場合には、耳掛け部によって保持されていないマスク本体の下方部を手で跳ね上げ、口を露出させることにより、飲食を行うことが可能になる。そして、跳ね上げたマスク本体の下方部の支えを離すことにより、マスク本体の下端に設けられた重りを兼ねた線状の形状保持部材の存在により、マスク本体の下方部は元の口周辺を覆う状態に自然に戻る。そのため、このマスクは、飲食時の会話等による口から出る飛沫を、効果的に防ぐことができるものとなる。
上記したことから、本考案に係るマスクは、特に新型コロナウイルス感染症（COVID-19）の感染拡大を防止する観点から、非常に有効なマスクとなる。
【図面の簡単な説明】
【００１０】
【図１】本考案に係るマスクの一実施形態を示した斜視図である。
【図２】図１に示したマスクの正面図である。
【図３】図１に示したマスクを装着して飲食する状態を示した側面図である。
【図４】図１に示したマスクを装着した状態を示した側面図である。
【考案を実施するための形態】
【００１１】
以下、本考案に係るマスクの一実施形態について、図面を参照して詳細に説明する。
【００１２】
図１，図２に示すように、この実施形態のマスク１は、利用者の鼻及び口の周辺を覆うマスク本体２と、該マスク本体２の左右上方部に設けられた利用者の耳に掛けられる耳掛け部３と、該マスク本体２の下端に設けられた重りを兼ねた線状の形状保持部材４とを備えている。
【００１３】
上記マスク１によれば、これを装着して飲食する場合には、例えば図３に示すように、耳掛け部３を外したり、マスク本体２を上下にずらしたりすることなく、耳掛け部３によって保持されていないマスク本体２の下方部２ｂを左手Ａで跳ね上げ、口Ｂを露出させ、右手で飲食物を口Ｂに運ぶことにより、飲食を行うことができる。
【００１４】
そして、左手Ａを跳ね上げたマスク本体２から離せば、マスク本体２の下端に設けられた重りを兼ねた線状の形状保持部材４の存在により、跳ね上げたマスク本体２の下方部２ｂは、その自重により下方に垂れ下がり、図４に示すように、口の周辺を覆う状態に自然に戻る。
【００１５】
上記のことから、このマスク１は、飲食時において、飲食物を口に運ぶ一瞬のみ口Ｂを露出させるものとなり、他の飲食物の咀嚼時、会話時等においては、口Ｂを自然に覆うものとなるので、飲食時の会話等による口から出る飛沫を、効果的に防ぐことができるものとなる。
【００１６】
上記マスク本体２及び耳掛け部３の構造、材質は、公知の構造、材質のものを広く採用することができる。また、図示した実施形態の如く、マスク本体２の上端部にノーズピース５を設け、利用者の鼻にフィットした形状にマスク本体２の上方部を成形できるものとすることは好ましい。このノーズピース５の材質も、ポリエチレン樹脂等の公知の材質のものを広く採用することができる。
【００１７】
但し、本考案においては、上記したように耳掛け部３はマスク本体２の左右上方部に設けられ、マスク本体２の上方部２ａを利用者の顔に保持させ、マスク本体２の下方部２ｂは跳ね上げられるように構成されている。
【００１８】
図示した実施形態においては、耳掛け部３は紐状体により形成され、該紐状体の一端３ａがマスク本体２の上端に結合され、他端３ｂがマスク本体２の高さ方向中間に結合されることにより、耳掛け部３がマスク本体２の上方半分程度を保持するように構成されている。
【００１９】
上記のように本考案のマスク１は、マスク本体２の上方部２ａのみが耳掛け部３により保持されていることにより、マスク本体２の下方部２ｂが跳ね上げられるものとなっているが、この構成とすることにより、口の周囲がマスク本体によって圧迫されないマスクとなり、息苦しさが無く、また会話をする際においても声の通りの良いマスクとなる。
【００２０】
また、本考案においては、上記したようにマスク本体２の下端に重りを兼ねた線状の形状保持部材４が設けられている。この重りを兼ねた線状の形状保持部材４をマスク本体２の下端に設けることにより、マスク本体２の下方部を利用者の顎に沿った形状に成形でき、夫々の利用者にとって密着感のあるマスクを提供できると共に、上記したように跳ね上げたマスク本体２の下方部２ｂが、口の周辺を自然に覆う状態に戻るものとしている。
【００２１】
上記重りを兼ねた線状の形状保持部材４は、ある程度の重さを有するものであって、利用者が変形可能であり且つ変形後の形状を維持することができる素材であれば、任意の素材を用いることができる。例えばアルミニウム、鉄、銅のような金属や真鍮等の合金でもよいし、形状保持が可能な樹脂であれば使用することができる。金属材料ではなく樹脂を用いて形状保持部材４を形成した場合には、ほとんど残渣を残さずに該マスク１を焼却処分することができるものとなり、環境に優しいマスクを提供できる。
【００２２】
また、図示した実施形態の如く、上記重りを兼ねた線状の形状保持部材４が設けられたマスク本体２の下端表面側に、帯状の着色６を施したものとすることは好ましい。この帯状の着色６を施すことにより、利用者は重りを兼ねた線状の形状保持部材４の位置を把握でき、マスク本体２の下方部の成形を容易に行うことができるものとなると共に、他のマスクとの差別化、またファッション性の向上を図ることができる。
【００２３】
以上、本考案に係るマスクの実施形態を説明したが、本考案は、何ら既述の実施形態に限定されるものではなく、実用新案登録請求の範囲に記載した本考案の技術的思想としてのマスクの範囲内において、種々の変形及び変更が可能であることは当然である。
【産業上の利用可能性】
【００２４】
本考案に係るマスクによれば、装着したままで飲食が可能であると共に、極力、飲食時における口から出る飛沫を防ぐことのできるので、特に新型コロナウイルス感染症（COVID-19）の感染拡大を防止する観点から、非常に有効なマスクとなる。
【符号の説明】
【００２５】
１：マスク
２：マスク本体
２ａ：マスク本体の上方部
２ｂ：マスク本体の下方部
３：耳掛け部
３ａ：紐状の耳掛け部の一端
３ｂ：紐状の耳掛け部の他端
４：重りを兼ねた線状の形状保持部材
５：ノーズピース
６：帯状の着色
Ａ：左手
Ｂ：口
【図１】
0003229085.tif 000003
【図２】
0003229085.tif 000004
【図３】
0003229085.tif 000005
【図４】
0003229085.tif 000006